(57)【要約】【課題】二枚貝の軟体部を切断で損なうことなく、二枚貝の開殻処理時間を短く且つその開殻処理時間のばらつきがないように開殻を実現させることができる二枚貝開殻方法及び装置を提供することを課題とする。【解決手段】二枚貝の殻内に環境水が流入可能な、殻の欠落部分を形成する殻欠落部分形成工程と、二枚貝を開殻させる成分を添加した環境水に前記殻欠落部分形成工程後の二枚貝を浸漬させる二枚貝浸漬工程と、を備える二枚貝開殻方法及び装置により課題解決できた。【選択図】    図１
2020162472.tif 000002
【特許請求の範囲】
【請求項１】
二枚貝の殻内に環境水が流入可能な、殻の欠落部分を形成する殻欠落部分形成工程と、
二枚貝を開殻させる成分を添加した環境水に前記殻欠落部分形成工程後の二枚貝を浸漬させる二枚貝浸漬工程と、を備えることを特徴とする二枚貝開殻方法。
【請求項２】
前記殻の欠落部分が、二枚貝の殻のうちの蝶番側でない周縁部の一部であることを特徴とする請求項１に記載の二枚貝開殻方法。
【請求項３】
前記殻の欠落部分が、二枚貝の殻のうちの蝶番頂側でない周縁部の一部に、回転刃物を用いた切削加工により形成されることを特徴とする請求項１又は２に記載の二枚貝開殻方法。
【請求項４】
前記殻の欠落部分が、二枚貝に衝撃を与えて前記二枚貝の殻を破砕させて形成されることを特徴とする請求項１又は２に記載の二枚貝開殻方法。
【請求項５】
前記二枚貝を開殻させる成分が、二酸化炭素、塩化マグネシウム、あるいは、二酸化炭素及び塩化マグネシウムの混合物であることを特徴とする請求項１〜４のいずれかの二枚貝開殻方法。
【請求項６】
二枚貝の殻内に環境水が流入可能な、殻の欠落部分を形成する殻欠落部分形成手段と、
二枚貝を開殻させる成分を添加した環境水に前記殻の欠落部分を形成した二枚貝を浸漬させる二枚貝浸漬手段と、を備えることを特徴とする二枚貝開殻装置。
【発明の詳細な説明】
【技術分野】
【０００１】
本発明は、牡蠣やホタテ貝等の二枚貝の殻を開ける二枚貝開殻方法及び装置に関する。
【背景技術】
【０００２】
二枚貝の開殻方法として、特許文献１には二枚貝の外殻を液体瓦斯で急冷させて二枚貝を開殻させる技術が開示されている。また、特許文献２には海水中に二枚貝を入れ二酸化炭素注入により前記海水のｐＨを５．５〜６．５の範囲に低下させることにより開殻させる二酸化炭素による二枚貝の開殻方法が開示されている。
【０００３】
また、特許文献３には二枚貝を生息環境下の塩類濃度以上の濃度の塩類溶液であって、その生息環境下のマグネシウムイオン濃度より高い濃度でマグネシウムイオンを含む溶液に浸して二枚貝を開き、その二枚貝の２枚の貝殻の間に貝殻を開いた状態で保つための支持体を設ける開殻二枚貝の製造方法が開示されている。
【０００４】
また、特許文献４には、アワビの体を麻酔により弛緩させてアワビ貝殻の内面に小核の固着をする方法が開示され、麻酔剤として、二酸化炭素、メチルアルコール、２−アミノ−１−フェニルチアゾール、ｐ−アミノ安息香酸エチルエステル、２−メチルキノリン、メチル−１−メチルペンゾイル−イミダゾール−５−カルボキシレートが記載されている。
【０００５】
また、二枚貝の貝殻の切断装置として、特許文献５には、モーター駆動する回転砥石と、前記回転砥石を被覆、露呈し得る少なくとも正面が開口したフードと、前記フードを載置しかつ前記回転砥石を支持する支持体とを有してなり、支持体は回転砥石を支持し、かつこれを被覆する被覆体、フードの支持台を備える、二枚貝の殻を切削する装置が開示されている。
【先行技術文献】
【特許文献】
【０００６】
【特許文献１】特開Ｓ５５−２１７４７号公報
【特許文献２】特開平８−２２４０５８号公報
【特許文献３】特開平９−２３８６１０号公報
【特許文献４】特開平３−２４７２２２号公報
【特許文献５】特開平７−１９４２９４号公報
【発明の概要】
【発明が解決しようとする課題】
【０００７】
特許文献１〜４のうちのいずれかの発明は、二枚貝の貝柱や靭帯を弛緩させて開殻させる成分を海水に添加して、二枚貝を開殻させる方法である。しかし、例えば牡蠣が殻を閉じているときは２枚の殻の周縁部を完全に密着させるので、牡蠣が閉殻している状態で開殻させる有効成分の添加された海水に浸漬しても貝殻の内部に開殻させる有効成分の添加された海水が入ってこない。牡蠣が呼吸のために殻を開けたときでないと有効成分が殻内に入らないので、開殻効果を得るまで時間を要するという問題があり、それぞれの牡蠣ごとに有効成分が効き始まるまでの時間がばらつくという問題があった。
【０００８】
特に、牡蠣については、元来、潮間帯に生息する生物であるため、殻を閉じて殻内の海水を保持した状態で２４時間以上開殻せずに生存できる機能をもっており、有効成分が添加された海水に浸漬しても、牡蠣の個体によっては１２時間以上経過しても開殻しない牡蠣がある。牡蠣は海水中に浸漬させているときは短時間で開殻することもあるが、水中に二酸化炭素や塩化マグネシウム等の異物を混入すると長時間閉殻状態を持続しなかなか開殻しないので、開殻させる有効成分を添加した海水に二枚貝を浸漬する方法では、処理時間が非常に長くなるという大きな問題があった。
【０００９】
また、開殻が始まるまでの時間に非常に大きな個体差があったことから、処理時間を長くすると、処理の早い時間に開殻した個体は開殻状態での放置時間が長くなり、細菌等の微生物の付着や、殻等に付着した泥や底生生物等の死骸が付着する等の衛生面での問題があった。
【００１０】
また、特許文献５の発明は、二枚貝の殻にナイフ挿入可能な切り欠きをつくっているが、ナイフ挿入を容易にできる大きさの切り欠きをつくらねばならないことから、切り欠きを切断加工などでつくるときに二枚貝の殻の周縁近傍にある軟体部を殻と同時に切断してしまうという問題があった。また、前記ナイフ挿入時は、貝柱が弛緩していないので二枚の貝殻を強く閉じている状態であるので、ナイフでこじ開けねばならないという問題があった。
【００１１】
本発明はこうした問題に鑑み創案されたもので、二枚貝の軟体部を切断で損なうことなく、二枚貝の開殻処理時間を短く且つその開殻処理時間のばらつきがないように開殻を実現させることができる二枚貝開殻方法及び装置を提供することを課題とする。
【課題を解決するための手段】
【００１２】
本発明における環境水とは、海産二枚貝において海水のことを意味し。淡水産二枚貝においてが淡水のことを意味する。
【００１３】
請求項１に記載の二枚貝開殻方法は、二枚貝の殻内に環境水が流入可能な、殻の欠落部分を形成する殻欠落部分形成工程と、二枚貝を開殻させる成分を添加した環境水に前記殻欠落部分形成工程後の二枚貝を浸漬させる二枚貝浸漬工程と、を備えることを特徴とする。
【００１４】
請求項２に記載の二枚貝開殻方法は、請求項１において、前記殻の欠落部分が、二枚貝の殻のうちの蝶番側でない周縁部の一部であることを特徴とする。
【００１５】
請求項３に記載の二枚貝開殻方法は、請求項１又は２において、前記殻の欠落部分が、二枚貝の殻のうちの蝶番側でない周縁部の一部に、回転刃物を用いた切削加工により形成されることを特徴とする。
【００１６】
請求項４に記載の二枚貝開殻方法は、請求項１又は２において、前記殻の欠落部分が、二枚貝に衝撃を与えて前記二枚貝の殻を破砕させて形成されることを特徴とする。
【００１７】
請求項５に記載の二枚貝開殻方法は、請求項１〜４のいずれかにおいて、前記二枚貝を開殻させる成分が、二酸化炭素、塩化マグネシウム、あるいは、二酸化炭素及び塩化マグネシウムの混合物であることを特徴とする。
【００１８】
請求項６に記載の二枚貝開殻装置は、二枚貝の殻内に環境水が流入可能な、殻の欠落部分を形成する殻欠落部分形成手段と、二枚貝を開殻させる成分を添加した環境水に前記殻の欠落部分を形成した二枚貝を浸漬させる二枚貝浸漬手段と、を備えることを特徴とする。
【発明の効果】
【００１９】
本発明の二枚貝開殻方法又は二枚貝開殻装置は、二枚貝の軟体部を切断で損なうことなく、二枚貝の開殻処理時間を短く且つその開殻処理時間のばらつきがないように開殻を実現させることができ
る。これにより、菌等の微生物の付着や、殻等に付着した泥や底生生物等の死骸が付着する等の衛生面の問題を解消させることができた。
【００２０】
また、本発明の二枚貝開殻方法又は二枚貝開殻装置を使用して得られた二枚貝は、開殻している状態であるので、刃物等の道具を使用して貝柱や靭帯を殻から切断して可食部である軟体部を切り出す作業が極めて容易になる。
【００２１】
また、刃物等の道具を使用しないで、貝柱や靭帯と殻との結合部分を加熱又は冷却して可食部である軟体部を脱殻させる場合があるが、従来のように殻内が可食部と水分で満たされているときは殻外からかけた加熱又は冷却が可食部の品質に悪影響を与えるという問題があったが、本発明の二枚貝開殻方法又は二枚貝開殻装置を使用して得られた二枚貝の場合は、開殻によって殻内の水分が流出しやすいので、その水分を流出させれば水分より熱伝導率の低い空気等の環境中の気体に置き換わるため、可食部への悪影響を抑えることができる。
【図面の簡単な説明】
【００２２】
【図１】二枚貝開殻方法の工程を示す図である。
【図２】炭酸ガス曝気時間とｐＨの変化を示す図である。
【図３】炭酸ガス含有海水に浸漬した牡蠣の開殻割合の経時変化を示す図である。
【図４】２％塩化マグネシウム海水に浸漬した牡蠣の開殻割合の経時変化を示す図である。
【図５】牡蠣の平面視の図で、（ａ）が牡蠣の欠落部分を示す図で、（ｂ）が欠落部分を有する牡蠣の図である。
【図６】牡蠣の側面視の図で、（ａ）が牡蠣の欠落部分を示す図で、（ｂ）が欠落部分を有する牡蠣の図で、（ｃ）が二枚貝を開殻させる成分を添加した環境水に浸漬させて開殻した牡蠣を示す図である。
【図７】二枚貝開殻工程の概要を示す図である。
【発明を実施するための形態】
【００２３】
本発明の二枚貝開殻方法又は二枚貝開殻装置は、牡蠣やホタテ貝等の貝殻から生のままの可食部である軟体部を取り出す二枚貝の開殻に使用される。
【００２４】
本発明の二枚貝開殻方法１は、図１に示すように、二枚貝１０の殻内に環境水１５が流入可能な、殻の欠落部分８を形成する殻欠落部分形成工程２と、二枚貝１０を開殻させる成分を添加した環境水１５に前記殻欠落部分形成工程２後の二枚貝１０を浸漬させる二枚貝浸漬工程３と、を備える。
【００２５】
二枚貝の貝の軟体部を取り出す工程は、図７に示すように、まず水揚げした二枚貝１０に付いた藻や泥を除去する洗浄工程２１、次に二枚貝１０の殻内に環境水１５が流入可能な、殻の欠落部分８を形成する殻欠落部分形成工程２、次に二枚貝１０を開殻させる成分を添加した環境水１５に前記殻欠落部分形成工程２後の二枚貝１０を浸漬させる二枚貝浸漬工程３、次にナイフを使用したり、加熱又は冷却したりして軟体部を取り出す軟体部取り出し工程２３、次にパッケージ等を行って出荷する出荷工程２４を備えている。
【００２６】
二枚貝１０は開閉運動をする２枚の殻を有しており、牡蠣１０の殻は比較的平らでフタをするようになっているフタ殻６と、深く窪んで膨らんでいる身殻７との２枚の殻を有している。そして、２枚の殻と身を連結しているのが、牡蠣１０等の場合のように貝柱４のみである二枚貝１０と、アサリやハナグリ等の場合のように貝柱４及び靭帯の２か所である二枚貝１０がある。
【００２７】
前記殻欠落部分形成工程２は、二枚貝１０の殻内に環境水１５が流入可能な、殻の欠落部分８を形成する工程である。牡蠣１０の場合でいえば、フタ殻６や身殻７に隙が約１ｍｍ以上ある欠落部分８が形成されていればよい。例えば、図６（ｃ）に示すように、欠落部分８の隙ｈが約１ｍｍ以上あれば環境水１５が殻内に侵入してくる。さらに、欠落部分８が２個以上あれば環境水１５の殻内への換水はより早くなる。なお、前記殻の欠落部分８は、牡蠣１０の場合でいえば、フタ殻６と身殻７との密着させている殻の周縁部に限らず、フタ殻６と身殻７とのどちらかに孔（図示せず）を設けてもよい。すなわち、殻内に環境水１５が流入可能な欠落部分８があればよい。
【００２８】
そして、図５（ｂ）や図６（ｂ）、（ｃ）に示すように、前記殻の欠落部分８が二枚貝１０の殻のうちの蝶番５側でない周縁部の一部にある。牡蠣１０の場合で言えば、図５に示すように、貝柱４が欠落部分８の近傍となることから、ナイフなどの切断具を使用する場合に貝柱４の付け根を殻から切り離しやすい。
【００２９】
また、前記殻の欠落部分８を、二枚貝１０の殻のうちの蝶番５側でない周縁部の一部に、例えば図５（ａ）や図６（ａ）の切断部位１１の位置において、回転刃物を用いた切削加工により形成したり、前記殻の欠落部分８を二枚貝１０に衝撃を与えて前記二枚貝の殻を破砕させて形成させることができる。前記回転刃物により切削加工した牡蠣は、図５（ｂ）や図６（ｂ）に示すように蝶番５側でない周縁部の一部に欠落部分８が形成される。前記欠落部分８は、図５や図６に示すように蝶番５側でなく蝶番５側とは反対側の殻の周縁部に形成されるのが好ましい。
【００３０】
前記回転刃物を用いた切削加工としては例えばドリルやグラインダー等が該当し、前記衝撃を与える事例としては、例えば回転ドラム内に牡蠣を複数個入れ、前記回転ドラムを回転させることによって、回転ドラム内の複数個の牡蠣が転がり、前記回転ドラム内壁や他の牡蠣と衝突させ、殻の一部が破砕されて欠落部分８をつくる方法がある。前記回転ドラムを使用する場合は、牡蠣の表面に付着している藻や泥等を除去するための洗浄作業を行う洗浄工程２１のときに同時に行ってもよい。また殻欠落部分形成工程２では、叩いて殻を破砕して欠落部分８をつくってもよい。
【００３１】
次に、二枚貝浸漬工程３を説明する。二枚貝浸漬工程３は、前記殻欠落部分形成工程２の次の工程であり、二枚貝１０を開殻させる成分を添加した環境水１５に前記殻欠落部分形成工程２後の二枚貝１０を浸漬させる。前記二枚貝１０を開殻させる成分としては、例として二酸化炭素、塩化マグネシウム、あるいは、二酸化炭素及び塩化マグネシウムの混合物がある。
【００３２】
二枚貝浸漬工程３は、図７に示すように、二枚貝１０を開殻させる成分を添加した環境水１５を満たした水槽２０に、牡蠣等の二枚貝１０を浸漬させる。浸漬させた牡蠣は、例えば図６（ｃ）に示すように、蝶番５側でない周縁部の一部に形成された欠落部分８が開殻し隙ｈが生じる。
【００３３】
二枚貝１０が開殻し、密着しているフタ殻６の周縁部と身殻７の周縁部との間に隙ｈが生じたのは、前記約１ｍｍの開口部を有する欠落部分８から、二枚貝１０を開殻させる成分を添加した環境水１５が殻内に流入し換水された効果である。前記開殻は、二枚貝１０を開殻させる成分が、フタ殻６と身殻７とを密着させている貝柱４を弛緩させたものと推定する。
【００３４】
次に、軟体部取り出し工程２３では、ナイフ等を開殻した箇所、例えば図６（ｃ）における隙ｈから殻内に挿入して貝柱４を殻から切り離すが、二枚貝１０が開殻しているので、こじあける必要がなくスムースにナイフを挿入でき、さらに前記欠落部分８を貝柱４の近傍に形成させた場合は極めて瞬時に容易に切り離すことができる。
【００３５】
次に、出荷工程２４である。殻欠落部分形成工程３で殻のうちの蝶番５側でない周縁部の一部に、殻内に環境水１５が流入可能な隙１ｍｍ程度の欠落部分８を形成させて二枚貝１０を開殻させたので、軟体部が切断されてないので、損傷がない軟体部を出荷することができる。
【００３６】
次に、二枚貝開殻装置は、二枚貝１０の殻内に環境水１５が流入可能な、殻の欠落部分８を形成する殻欠落部分形成手段と、二枚貝１０を開殻させる成分を添加した環境水１５に前記殻の欠落部分８を形成した二枚貝１０を浸漬させる二枚貝浸漬手段と、を備えている。そして、二枚貝開殻装置は二枚貝開殻方法１を実行する装置である。
【００３７】
前記二枚貝開殻装置の前記欠落部分形成手段は、二枚貝開殻方法１の殻欠落部分形成工程２を実行する手段でありグラインダーやドリルなどの切削装置等を備え、前記二枚貝浸漬手段は二枚貝開殻方法１の二枚貝浸漬工程３を実行する手段であり、二酸化炭素、塩化マグネシウム、あるいは、二酸化炭素及び塩化マグネシウムの混合物である二枚貝１０を開殻させる成分を環境水１５に添加する二枚貝開殻成分添加部３０と、前記二枚貝１０を開殻させる成分を添加した環境水１５を満たした水槽２０とを備える。
【００３８】
次に、実施例を説明するが、本発明は実施例に限定されない。
【００３９】
まず、炭酸ガス添加実験を実施した。海水（開始時ｐＨ８．０４）を水槽２０に約４５Ｌ入れ、炭酸ガスを５Ｌ／ｍｉｎの流量にて曝気させ、ｐＨ計にてｐＨの変化を記録した。その結果を、図２に示す。図２において測定したｐＨをｐＨ値Ｐで示している。
【００４０】
図２から、曝気時間約５分でｐＨ値Ｐが５．２２となり、炭酸ガスが海水中で水と結びついてイオン化したと推定される。曝気開始後２分で、ｐＨ値Ｐは５．６５まで下がり、その後は曝気を終了した５分経過時まで緩やかに低下した。水槽２０の形状や水温などの条件にもよるが、ｐＨ５程度の炭酸ガス含有海水は、１０分以下の短時間の炭酸ガス曝気処理で得ることができ、かつ、使用機材やガス原料も比較的安価で手軽に調達できることがわかった。
【実施例１】
【００４１】
次に、実施例１として、炭酸ガスによるマガキ開殻試験を実施した。まず、マガキに殻の欠落部分８を形成した。回転刃物としてダイヤモンド工具を装着したグラインダーを使用し、切断した隙間から殻内部の空洞が確認できるように、図５（ａ）や図６（ａ）における殻の削除部位１１を幅５ｍｍ、殻内に向かって２ｍｍ程度の位置で切断した。
【００４２】
実験は３回繰り返し実施した。検体は、本発明の二枚貝開殻方法１に基づくように殻の一部を切断し欠落部分８を形成して殻内に殻外から海水が入るようにした牡蠣２０個と、比較例として殻内に海水流入用の欠落部分８がない１０個を用いた。これらの検体の合計３０個を同時にｐＨ５前後の炭酸ガス含有海水を満たした水槽２０内に投入し、前記海水中での開殻状況（開殻している割合）と、水槽２０から取り上げて開殻を継続している個体について計数した。その結果を表１に示す。また、２回目の実験では、水槽２０内での開殻状況について、投入３分後、５分後、１０分後、２０分後、７５分後に計数した。その結果を表２及び図３に示す。図３において、実施例の殻切断牡蠣の開殻割合を開殻割合線Ａで示し、比較例の通常牡蠣の開殻割合を開殻割合線Ｂで示している。
【００４３】
2020162472.tif 000003
【００４４】
2020162472.tif 000004
【００４５】
表１、表２、図３から、ｐＨ５前後の炭酸ガス含有海水へ、幅５ｍｍで殻内に向かって２ｍｍ程度の位置で切断した欠落部分８を形成した牡蠣を投入すると、投入後１５分経過後には４５％〜５５％が開殻したが、比較例の欠落部分８を形成しない牡蠣の場合は、投入後１５分経過後は開殻割合が０％であり、顕著な効果が示された。
【００４６】
また、ｐＨ５前後の炭酸ガス含有海水へ、幅５ｍｍで殻内に向かって２ｍｍ程度の位置で切断した欠落部分８を形成した牡蠣を投入し、投入後７５分経過後には８５％が開殻したが、比較例の欠落部分８を形成しない牡蠣の場合は、投入後７５分経過後は開殻割合が１０％に留まっており、顕著な効果が示された。
【実施例２】
【００４７】
次に、実施例２として、塩化マグネシウム（にがり）による開殻実験を実施した。まず、マガキ（牡蠣）に殻の欠落部分８を形成した。回転ドラム内に牡蠣を複数個入れ、前記回転ドラムを回転させて前記回転ドラム内壁や他の牡蠣と衝突させ、殻の一部を破砕した。破砕した殻の隙間から殻内部の空洞が確認できた牡蠣を殻の欠落部分８を形成した牡蠣のサンプルとして使用した。
【００４８】
次に、海水を容器に約６．５Ｌ入れ、１３０ｇの塩化マグネシウム（にがり）を溶かし入れ、約２％塩化マグネシウム海水を作出した。そして、２％塩化マグネシウム海水に、図５（ａ）や図６（ａ）における殻の削除部位１１を幅５ｍｍ、殻内に向かって２ｍｍ程度の位置で切断して欠落部分８を形成した牡蠣を６個と、比較例として欠落部分８を形成しない牡蠣６個を２回に分けて投入し、投入から開殻までにかかった秒数を確認した。その結果を、表３及び図４に示す。投入後、２分３０秒間観察し、２分３０秒後までに開殻しなかった牡蠣は表３において、「・・・」で表示した。図４において、実施例の殻切断牡蠣の開殻割合を開殻割合線Ｃで示し、比較例の通常牡蠣の開殻割合を開殻割合線Ｄで示している。
【００４９】
2020162472.tif 000005
【００５０】
表３及び図４から、２％塩化マグネシウム海水の場合は、牡蠣の開殻状況は、ｐＨ５前後の炭酸ガス含有海水より短時間で開殻割合が大きいことが示された。開殻割合は投入後２分間で１２個中９個で６６．７％と高いことが示された。一方、比較例の開殻割合は投入後２分間で１２個中２個で１６．７％であった。これにより、２％塩化マグネシウム海水に投入する前に殻に小さな欠落部分８を形成させた牡蠣の方が、欠落部分８を形成しない牡蠣より約４倍も開殻割合が高いという顕著な効果が得られた。
【符号の説明】
【００５１】
１          二枚貝開殻方法
２          殻欠落部分形成工程
３          二枚貝浸漬工程
４          貝柱
５          蝶番
６          フタ殻
７          身殻
８          欠落部分
１０        二枚貝
１１        切断部位
１５        環境水
２０        水槽
２１        洗浄工程
２３        軟体部取り出し工程
２４        出荷工程
３０        二枚貝開殻成分添加部
Ａ          開殻割合線
Ｂ          開殻割合線
Ｃ          開殻割合線
Ｄ          開殻割合線
ｈ          隙
Ｐ          ｐＨ値
【図１】
2020162472.tif 000006
【図２】
2020162472.tif 000007
【図３】
2020162472.tif 000008
【図４】
2020162472.tif 000009
【図５】
2020162472.tif 000010
【図６】
2020162472.tif 000011
【図７】
2020162472.tif 000012